(57)【要約】【課題】  袋を掛けマンゴー等の熱帯果実が袋内で落下しても、袋底部の接着部の糊がはがれて、果実が抜け落ちることのないように、袋の底部の接着部の強度を十分に保った果実袋の提供。【解決手段】  上辺の袋素材に袋を果梗に巻き付けるための止金を張り合わせた果実袋の底部近傍に、３段の接着部を設けた果実掛袋を特徴とする。また、上辺の袋素材に袋を果梗に巻き付けるための止金を張り合わせた果実袋の底部近傍に、３段の接着部を設け、その３段の接着部は、果実袋底部に形成された切欠き部の高さ方向の寸法の範囲内で設けた果実掛袋を特徴とする。【選択図】      図１
2005021141.tif 000002
【特許請求の範囲】
【請求項１】
上辺の袋素材に袋を果梗に巻き付けるための止金を張り合わせた果実袋の底部近傍に、３段の接着部を設けてなることを特徴とする果実掛袋。
【請求項２】
前記３段の接着部は、果実袋底部に形成された切欠き部の高さ方向の寸法の範囲内で設けてなることを特徴とする請求項１記載の果実掛袋。
【請求項３】
上辺の袋素材に袋を果梗に巻き付けるための止金を張り合わせた果実袋の底部近傍に、複数段の接着部を設け、最上段の接着部を不連続な接着部によって構成してなることを特徴とする果実掛袋。
【請求項４】
前記不連続に形成した最上段の接着部は、果実袋側部の接着部は中央部に位置した接着部よりも袋の上下方向で下方に位置していることを特徴とする請求項３記載の果実掛袋。
【発明の詳細な説明】
【技術分野】
【０００１】
本発明は、成熟時に落下する果実に使用する果実掛袋に関し、特に熱帯果実のマンゴーに適した果実掛袋に関する。
【背景技術】
【０００２】
従来、梨、りんご、ブドウ等の果実栽培において、果実を病害や虫害、風雨、散布薬剤などから保護するために、一重または二重袋を果実に掛けて使われている。このように果実袋を掛けた果実は袋を掛けたまま或いは収穫直前に除袋して、果実の軸を一つ一つ切り取り又はもぎ取ったりして収穫している。
【０００３】
これに対して、熱帯果実のマンゴーは、最近、消費者が完熟果実を好む傾向にあることから、マンゴーに袋を掛けて栽培する際には果実袋の中で果実を完熟させて、果実が果梗より離れてから収穫することが行われるようになっている。つまり、果実袋の中で果実が袋の底部に落下することになり、その圧力のために果実袋の底糊がはがれることが多かった。その結果、果実袋の底が抜けてしまって果実が地面に落下することになり、果実を損傷し著しく果実の商品価値を低下させてしまう問題が発生していた。
【０００４】
このような課題を解決するために、最近では、予めマンゴーと果梗部とを一つ一つ紐等で結び付けて袋掛けをする方法が実施されているが、この方法では農家の手間が大変である。このように果実一つ一つを紐等で果梗部に結び付ける方法ではなく、袋の底部を上下２段の接着部で構成した果実袋（本件出願とは別に特許出願中）が、本出願人から製造・販売されている。本願では、上記本出願人の実施による例を従来例として説明する。図１７乃至図１９がこの実施例を示している。沖縄県の場合、果実袋は梅雨明け前の６月初旬にマンゴー果実６に被袋する。この時、止金２を果梗５にしっかりと巻き付け袋１を固定する（図１８）。マンゴーは、およそ１ヶ月の間に果実は果実袋の中で完熟し、果梗部から離れて落下するが、果実袋の中に捕捉される。このときの衝撃は底糊の上段接着部３が受け止めるが、そのときあるいは２〜３日以内に果実の圧力により、或いは雨などの外的原因により、接着部３の糊はがれを起こす。しかしながら、下段接着部４を設けたために数日間マンゴーが袋内に滞留しても地面に落下してしまうことはなく、マンゴーに損傷を与える虞はない（図１９）。
【発明の開示】
【発明が解決しようとする課題】
【０００５】
上記本出願人が現在製造・販売している袋の底部を上下２段の接着部で構成した果実袋（図Ａ）は、マンゴー等の熱帯果実が落下しても接着部の糊がはがれることはなく十分の強度を得ることができるものであるが、本発明は、袋の底部の接着部の強度を十分に保った別の構成の果実袋を提供することを目的としたものである。
【課題を解決するための手段】
【０００６】
本発明の果実掛袋は、上辺の袋素材に袋を果梗に巻き付けるための止金を張り合わせた果実袋の底部近傍に、３段の接着部を設けてなることを特徴とする。また、本発明の果実掛袋は、上辺の袋素材に袋を果梗に巻き付けるための止金を張り合わせた果実袋の底部近傍に、３段の接着部を設け、その３段の接着部は、果実袋底部に形成された切欠き部の高さ方向の寸法の範囲内で設けてなることを特徴とする。
【０００７】
本発明の果実掛袋は、上辺の袋素材に袋を果梗に巻き付けるための止金を張り合わせた果実袋の底部近傍に、複数段の接着部を設け、最上段の接着部を不連続な接着部によって構成してなることを特徴とする。また、本発明の果実掛袋の不連続に形成した最上段の接着部は、果実袋側部の接着部は中央部に位置した接着部よりも袋の上下方向で下方に位置していることを特徴とする。
【０００８】
本発明の果実掛袋は、上辺の袋素材に袋を果梗に巻き付けるための止金を張り合わせた果実袋の底部近傍に、複数段の接着部を設け、複数段の接着部の内の一つの段の接着部を不連続な接着部によって構成してなることを特徴とする。
【０００９】
本発明の果実掛袋は、上辺の袋素材に袋を果梗に巻き付けるための止金を張り合わせた果実袋の底部近傍に、複数の不連続な接着部を有した櫛歯状の接着部を設けてなることを特徴とする。
【００１０】
本発明の果実掛袋は、上辺の袋素材に袋を果梗に巻き付けるための止金を張り合わせた果実袋の底部近傍に、２段の接着部を設け、下段の接着部を上段の接着部の袋上下方向の寸法よりも厚くして成ることを特徴とする。また、本発明の果実掛袋は、上辺の袋素材に袋を果梗に巻き付けるための止金を張り合わせた果実袋の底部近傍に、２段の接着部を設け、上段の接着部を下段の接着部の袋上下方向の寸法よりも厚くして成ることを特徴とする。
【００１１】
本発明の果実掛袋は、上辺の袋素材に袋を果梗に巻き付けるための止金を張り合わせた果実袋の底部近傍に、複数の不連続な接着部を設けてなることを特徴とする。
【発明の効果】
【００１２】
本発明によれば、マンゴーを果実袋を掛けたままで成熟させ、自然に果梗から落下させても、マンゴーが果実袋内に捕捉され地面に落下することはない。
【００１３】
また、多数の不連続な接着部を設けることにより、糊の剥離を一気に進行させない効果を増大させることができる。
【発明を実施するための最良の形態】
【００１４】
本発明の実施の最良の形態は、紙製の果実掛袋に特に適したものであり、１枚の袋素材を折り曲げて作った袋の上辺の袋素材に袋を果梗に巻き付けるための止金を張り合わせ、果実袋の底部近傍に、複数段、好ましくは３段の接着部を設けてなる果実掛袋である。
【００１５】
以下、本発明の具体的実施例について、図面を参照しながら説明する。
【実施例１】
【００１６】
本発明の果実袋の一つの実施例は、図１に示すように、袋の底部の貼り合せ部を３段の接着部で構成したものである。図１に示した実施例では、果実袋１０の上辺に一部突出した巻き付け片２０を形成し、袋素材の間に袋１０をしっかりと果梗に巻き付けるための止金４０を入れて張り合わせてある。この止金４０は袋素材間に張り合わせても良いし、袋に張り付けても良い（他の実施例においても同様である）。果実袋の側方は、一方の袋素材を折り曲げて張り合わせてある。なお、この折り曲げ構造は図は本願発明とは直接的に関係しないので図示は省略し、袋の縦方向の側方接着部２５のみを図示してある。果実袋１０下部には、３段の接着部５０、６０、７０が設けられている。果実袋は、止金４０を果梗にしっかりと巻き付けマンゴー果実に被袋する。マンゴーは果実袋の中で完熟し、果梗部から離れて落下するが、果実袋の中に捕捉され、そのときの衝撃は底糊の最上段接着部５０が受け止める。その際、果実の落下圧力により、或いは雨などの外的原因により、最上段接着部５０の糊はがれを起こすことがあるが、中段接着部６０及び下段接着部７０により、数日間はマンゴーが果実袋内に滞留して、地面に落下してしまうことはなく、マンゴーに損傷を与える虞はない。
【００１７】
果実袋１０の下辺に設けられた切欠き部３０は、果実袋１０が連続袋として製造されるために、上辺に一部突出した巻き付け片２０の切欠き部として残るものである。このような場合に、３段の接着部５０、６０、７０は、この切欠き部の高さ方向の寸法（Ｌ）の範囲内で設けるのが好ましい。なぜならば、果実袋は当然のことながら、内部に果実を包むものであり、果実が成熟していくためにはそれ相応のスペースが必要となるからである。このことからすれば、果実袋の必要なスペースが確保できるのであれば、接着部は３段に限らず多段に構成しても構わないことは、当業者にとって自明のことである。なお、この切欠き部３０を設ける袋構成の場合は、通常、切欠き部３０に沿って側方接着部２６を設けるのが好ましい。上辺に一部突出した巻き付け片２０を設けない袋構成の場合には、単に側方にスリットを形成して巻き付け片を構成する。この場合には、当然のことながら、切欠き部は形成されない（図示省略）。
【実施例２】
【００１８】
本発明の果実袋の他の実施例（図２）は、袋底部の３段の接着部の最上段の接着部を連続した接着部として構成するのではなく、不連続の接着部として構成したものである。図２に示した実施例でも、果実袋１０の上辺に一部突出した巻き付け片２０を形成し、袋素材の間に袋１０をしっかりと果梗に巻き付けるための止金４０を入れて張り合わせてある。果実袋１０下部の最上段の接着部は、不連続の接着部５１、５２、５３、５４とされ、その下方に２段の接着部６０、７０が設けられている。マンゴーは果実袋の中で完熟し、果梗部から離れて落下するが、果実袋の中に捕捉され、そのときの衝撃は底糊の最上段の不連続な接着部５１、５２、５３、５４が受け止める。その際、果実の落下圧力により、或いは雨などの外的原因により、最上段接着部５１、５２、５３、５４の一部に糊はがれを起こすことがあるが、接着部が不連続であるため、はがれ現象が他の接着部に影響を与えることはより少なくなり、更に、中段接着部６０及び下段接着部７０により、数日間はマンゴーが果実袋内に滞留して、地面に落下してしまうことはなく、マンゴーに損傷を与える虞はない。
【００１９】
この際、下方段の接着部は連続して形成されてもいいし、下方段の接着部も不連続の接着部で構成しても良い。また、接着部の段数は２段であっても、果実が果梗部から離れても数日間は剥がれずに、袋内に捕捉された果実を落下させない程度の接着力を維持できればいい（図３）。図４は、接着部の段数は２段で、上段の接着部が連続する接着部５０で構成され、下段の接着部が不連続の接着部６１、６２、６３、６４で構成された場合の実施例を示す。このように、接着部が不連続の接着部からなることによって、接着部の糊の剥離が一気に進まない効果を有している。
【００２０】
マンゴーは果実袋の中で完熟し、果梗部から離れて落下し、果実袋の中に捕捉される。その際、そのときの袋の掛け方にもよるが、果実袋の中央部で捕捉されるのではなく、果実袋の隅部で捕捉されることが多い。そこで、図５に示すように、不連続に形成した最上段の接着部の配列は、果実袋側部の接着部５１、５４を、中央部に位置した接着部５２、５３よりも袋の上下方向で下方に位置させる。これにより、マンゴーの落下の衝撃を緩和し、マンゴー先端部を効率的に捕捉することができる。図示しないが、逆に、不連続に形成した最上段の接着部の配列は、果実袋側部の接着部５１、５４を、中央部に位置した接着部５２、５３よりも袋の上下方向で上方に位置させることにより、落下したマンゴーを袋中央部で捕捉するようにすることもできる。
【実施例３】
【００２１】
果実袋１０下部の接着部として、不連続の接着部を設けることは、果実の落下の際の袋内での衝撃を和らげ、かつ、糊の剥離を一気に進行させないために有効な手段であるので、この考え方を適用した実施例を、図６〜図１４を用いて説明する。
【００２２】
本発明の果実袋の他の実施例として、図６は、上段に不連続で袋縦方向に長方形の接着部５１、５２・・・５８を設け、下段に連続した接着部６０を設けたものであり、図７は、上段に連続した接着部５０を設け、下段に不連続の接着部６１、６２・・・６８を設けたものであり、図８は、櫛歯状の接着部５１、５２・・・５８を上方に向けて配置したものであり、図９は、櫛歯状の接着部６１、６２・・・６８を下方に向けて配置したものである。このように、袋縦方向に長方形の接着部を多数不連続に設けることにより、糊の剥離を一気に進行させない効果が増大する。なお、本実施例では、長方形の接着部を採用したが、これは長方形に限るものではなく楕円形でも弓形形状でも、袋縦方向に長い形状の接着部であれば良い。
【００２３】
本発明の果実袋の他の実施例として、図１０〜図１２は、不連続の接着部を袋の縦方向に長い形状の要素で構成し、その不連続接着部５１、５２、５３・・・の要素の形状と配置を考えたものである。図１１及び図１２は、袋縦方向に長い形状の要素を傾斜させて配置したものであり、図１１は、端部の要素を袋内側に傾斜させた例であり、図１２は、端部の要素を袋外側に傾斜させた例である。また、図１３は、円形の不連続接着部５１、５２、５３・・・を要素の形状として採用した例であり、図１４は、２段で形成した接着部を上下段共に二つに分離（５１、５２）（６１、６２）したものである。いずれも、袋の底部近傍に不連続の接着部を多数設けることにより、糊の剥離を一気に進行させない効果を奏するものである。これらの実施例において、不連続接着部の各要素の形状と配置は、当業者であれば適宜応用がきくものであり、具体的に例示した形状と配置のみが本願発明として限定されるものではない。また、本実施例においても、長方形の接着部は、長方形に限るものではなく楕円形でも弓形形状でも、長い形状の接着部であれば良い。
【実施例４】
【００２４】
本発明の果実袋の他の実施例として、図１５に示した果実掛袋は、上辺の袋素材に袋を果梗に巻き付けるための止金４０を張り合わせた果実袋の底部近傍に、２段の接着部を設け、下段の接着部９０を上段の接着部８０の袋上下方向の寸法よりも厚く形成したことを特徴としている。また、図１６に示した果実掛袋は、上辺の袋素材に袋を果梗に巻き付けるための止金４０を張り合わせた果実袋の底部近傍に、２段の接着部を設け、上段の接着部８５を下段の接着部９５の袋上下方向の寸法よりも厚く構成したことを特徴としている。これにより、マンゴーは果実袋の中で完熟し、果梗部から離れて落下しても、果実袋の中に捕捉され、数日間はマンゴーが果実袋内に滞留して、地面に落下してしまうことはなく、マンゴーに損傷を与える虞はない。
【図面の簡単な説明】
【００２５】
【図１】本発明の実施例を示す果実袋の正面図
【図２】本発明の別の実施例を示す果実袋の正面図
【図３】本発明の別の実施例を示す果実袋の正面図
【図４】本発明の別の実施例を示す果実袋の正面図
【図５】本発明の別の実施例を示す果実袋の正面図
【図６】本発明の別の実施例を示す果実袋の正面図
【図７】本発明の別の実施例を示す果実袋の正面図
【図８】本発明の別の実施例を示す果実袋の正面図
【図９】本発明の別の実施例を示す果実袋の正面図
【図１０】本発明の別の実施例を示す果実袋の正面図
【図１１】本発明の別の実施例を示す果実袋の正面図
【図１２】本発明の別の実施例を示す果実袋の正面図
【図１３】本発明の別の実施例を示す果実袋の正面図
【図１４】本発明の別の実施例を示す果実袋の正面図
【図１５】本発明の別の実施例を示す果実袋の正面図
【図１６】本発明の別の実施例を示す果実袋の正面図
【図１７】現在、本出願人が製造・販売している袋底部に上下２段の接着部を有した果実袋の正面図
【図１８】上下２段の接着部を有した果実袋を果梗にしっかりと巻き付け固定した状態を示す使用状態説明図
【図１９】果実が果梗部から落下し、果実袋の中に捕捉された状態を示す使用状態説明図
【符号の説明】
【００２６】
１０  果実袋
２０  巻き付け片
３０  切欠き部
４０  止金
５０  接着部
６０  接着部
７０  接着部
【図１】
2005021141.tif 000003
【図２】
2005021141.tif 000004
【図３】
2005021141.tif 000005
【図４】
2005021141.tif 000006
【図５】
2005021141.tif 000007
【図６】
2005021141.tif 000008
【図７】
2005021141.tif 000009
【図８】
2005021141.tif 000010
【図９】
2005021141.tif 000011
【図１０】
2005021141.tif 000012
【図１１】
2005021141.tif 000013
【図１２】
2005021141.tif 000014
【図１３】
2005021141.tif 000015
【図１４】
2005021141.tif 000016
【図１５】
2005021141.tif 000017
【図１６】
2005021141.tif 000018
【図１７】
2005021141.tif 000019
【図１８】
2005021141.tif 000020
【図１９】
2005021141.tif 000021